【事件の表示】
　平成７年特許願第１０２６０３号「重量物の搭載装置」拒絶査定不服審判事件〔平成８年１１月１２日出願公開、特開平８−２９５２７３、請求項の数（２）〕について、次のとおり審決する。
【結　論】
　原査定を取り消す。
　本願の発明は、特許すべきものとする。
【理　由】
１．手続の経緯、本願発明
　本願は、平成７年４月２６日の出願であって、その請求項１，２に係る発明は、平成１３年８月２９日付けの手続補正書により全文補正された明細書の特許請求の範囲の請求項１、２に記載された事項により特定される次のとおりのものと認める。（以下、それぞれ「本願発明１」「本願発明２」という。）
　「【請求項１】　重量搭載物３を一定ストローク上昇させるために設置した昇降シリンダ６と、該重量搭載物３を載置するために前記昇降シリンダ６に水平方向移動可能に取付けたリフター４と、このリフター４から起設した伸縮可能なシリンダ２６と、このシリンダ２６の先端に取付けた係合部材３３と、この係合部材３３の上方位置に車体１を搬送するコンベヤ２のハンガー５と、このハンガー５に取付けた車体１の位置決め用の基準ピン９と、同じくコンベヤ２に取付けたリフター４側に係合する位置決め部材１０とからなり、
　前記リフター４側に係合する位置決め部材１０を位置決めピンとし、前記シリンダ２６の先端に取付けた係合部材３３を位置決めピン１０と嵌合する穴３３ａとし、前記位置決めピン１０と穴３３ａの少なくとも一方をテーパ部３４とし、位置決めピン１０と穴３３ａを係合させることにより、該位置決めピン１０を基準として前記リフター４を水平移動させて車体１に対する重量搭載物３の位置を決定する構成とするとともに、
　前記リフター４から起設した伸縮可能なシリンダ２６を空気圧で動作するエアシリンダとし、このエアシリンダ２６の伸張側供給路４４に過大な空気圧を制限するエアレギュレータ４５を備え、
　前記エアレギュレータ４５により、エアシリンダ２６の先端を搬送コンベヤ２側に係合したままリフター４側を上昇させた場合に、該リフター４側の上昇に応じてエアシリンダ２６を位置決めガイドしながら短縮されるよう構成した、
　ことを特徴とする重量物の搭載装置。
　　【請求項２】　前記係合部材３３を穴３３ａとし、位置決めピン１０のピンを前記基準ピン９と同軸に形成したことを特徴とする請求項１記載の重量物の搭載装置。」
　
２．原査定の拒絶の理由
　これに対して、原査定の拒絶の理由は、本願発明１，２は本願の出願前に頒布された特開平１−１１５７８９号公報（以下、「引用例１」という。）及び特開昭６３−８０８４号公報（以下、「引用例２」という。）に基づいて当業者が容易に発明をすることができたというものである。
　
３．引用例の記載事項
　（１）引用例１：特開平１−１１５７８９号公報には、
　「ハンガーコンベア等によって搬送中の車両のボデーに対して下方からワークを組付けるワーク組付け装置に関し、とくにボデーに形成された位置決め穴を損傷させることなくボデーと装置との位置決めを行うようにした位置決めピンによるワーク組付け装置の位置決め技術に関する」（第１頁右下欄３〜９行）ものであって、次の事項が記載されている。
　ア．「ハンガー２によって搬送されるボデー１の速度と同期走行可能な走行手段７と、該走行手段７によって移動され該走行手段７に対して水平方向に移動自在可能でかつ昇降可能なフローティングテーブル２１と、前記走行手段７に対するフローティングテーブル２１の動きをロックする第１のロック機構４１と、該フローティングテーブル２１に設けられ該フローティングテーブル２１に対して水平方向に移動自在可能なフローティングユニット５１と、該フローティングユニット５１に取付けられ前記ハンガー２の位置決め穴５５に挿通可能な第１の位置決めピン６１と、前記フローティングテーブル２１に対する第１の位置決めピン６１を動きをロックする第２のロック機構７１と、前記フローティングテーブル２１に設けられ昇降手段８４により前記ボデー１の位置決め穴８２に挿通可能な第２の位置決めピン８３と、を備えたワーク組付け装置。」（第１頁左下欄、特許請求の範囲）なお、符号は当審で参考のために付したものである。
　イ．「上部テーブル部３２の上昇に伴って第１の位置決めピン６１が後部ハンガー４に取付けられたアタッチメント５６の位置決め穴５５に挿通される。これにより、ボデー１とワーク組付け装置５との粗位置合せが完了される。」（第５頁右上欄１７〜左下欄１行）
　ウ．「この状態で各エアアクチュエータ８４が作動し、それぞれの第２の位置決めピン８３がボデー１の位置決め穴８２に挿通される。この場合、ボデー１とワーク組付け装置５との粗位置合せが既に終了しているので、ボデー１に形成された位置決め穴８２の直径が小さくても、位置決め穴８２への第２の位置決めピン８３の挿通は容易になされる。」（第５頁左下欄５〜１２行）
　エ．「これらの位置決め作業が終了すると、フローティングテーブル２１の上部テーブル部３２に設けられた図示されないワーク組付け手段によってヒートインシュレータ等のワークがボデー下面へ自動的に取付けられる。」（第５頁右下欄６〜１０行）
　
　（２）引用例２：特開昭６３−８０８４号公報には、
　「自動車製造ラインで使用される車体の位置決め装置」（第１頁左下欄１５〜１６行）に関し、次の事項が記載されている。
　オ．「ハンガー(1)により搬送される車体Ｗの位置決め装置であって、該ハンガー(1)の車体載置部(1a)に車体Ｗに係合するロケートピン(9)と、下方に突出する基準ピン(10)とを設けると共に、該ハンガー(1)の停止位置の下側に設けた機台(2)上に該基準ピン(10)を把持して該ハンガー(1)を定位置に位置決めするクランプ装置(11)を設けたことを特徴とする車体の位置決め装置。」（第１頁左下欄、特許請求の範囲）なお、符号は当審で参考のために付したものである。
　カ．「次に上記実施例の作用を説明するに、ハンガー(1)を停止させた後、昇降枠(12)を上昇させてクランプ装置(11)のクランプ片(11b)(11b')を閉じ、該ハンガー(1)に突設した位置決めピン(10)を該クランプ片(11b)(11b')により把持して該ピン(10)、従って該ハンガー(1)を定位置に位置決めする。
　かくするときは、該ハンガー(1)に対しロケートピン(9)により位置決めされる車体Ｗも定位置に位置決めされることになり、次いでリフタ(4１)(4２)を作動させて該ハンガー(1)から車体Ｗを持上げ最終的な位置決めを行なう。」（第３頁左上欄７〜１７行）
　
　（３）また、前置報告書に周知例として例示された特開平１−１１５７８７号公報（以下、「周知例」という。）には、「自動車組立ラインの足回り部組付装置」に関し、次の事項が記載されている。
　キ．「振れ止め用の案内手段(H)について説明すると、各ハンガーフレーム(6)の前後の端部夫々に、下向きの係合ピン(18)が付設され、その係合ピン(18)に係合する保持具(19)が、地上側のガイド(20)に沿って昇降自在に支持され、さらには、前記保持具(19)を伸長作動に伴って上昇側に押し操作するエアシリンダ（図示せず）が、一定以上の力で押されると短縮作動するように構成された状態で設けられている。
　従って、ボディ(B)と両物品部（X1)、(X2)とのセッティングのためにボディ(B)が下降されると、先ず、保持具(19)がハンガーフレーム(6)の係合ピン(18)に係合し、その係合状態で、引続きボディ(B)を下降させるに伴って、ボディ(B)と前記両物品部(X1)、(X2)とがセッティングされることになる。」（第４頁左下欄１０〜右下欄５行）
　ク．「第８図は、各ハンガーフレーム(6)における係止枠(6A)の先端部に係合するピン付きの保持具(22)を、上述実施例の保持具(19)と同様な構造で設けたものである。」（第４頁右下欄１９行〜第５頁左上欄２行）
　
４．対比・判断
　本願発明１，２と上記引用例１，２に記載された事項とを以下に対比・検討する。
　本願発明１，２は、少なくとも、“重量搭載物３を一定ストローク上昇させるために設置した昇降シリンダ６と、該重量搭載物３を載置するために前記昇降シリンダ６に水平方向移動可能に取付けたリフター４と、”からなる重量物の搭載装置であることを前提にした上で、「前記リフター４から起設した伸縮可能なシリンダ２６を空気圧で動作するエアシリンダとし、このエアシリンダ２６の伸張側供給路４４に過大な空気圧を制限するエアレギュレータ４５を備え、前記エアレギュレータ４５により、エアシリンダ２６の先端を搬送コンベヤ２側に係合したままリフター４側を上昇させた場合に、該リフター４側の上昇に応じてエアシリンダ２６を位置決めガイドしながら短縮されるよう構成した」ものである。
　
　そして、この構成については、上記引用例１，２のみならず、上記周知例においても、記載されておらず、しかも、この構成によって、簡易な構成でありながら、正確に、かつ、迅速に位置決めを行なうことが可能となり、さらに、リフター４の上昇時は、エアシリンダ２６の先端をコンベヤ２のハンガー５側に係合したままエアシリンダ２６が短縮され、リフター４に作用する過大な負荷を回避しつつ支障なく上昇が可能となる、という特有な効果を奏するものと認められるから、本願発明１，２は、上記引用例１，２及び周知例の記載事項から容易に発明できたものとすることはできない。
　
５．むすび
　以上のとおりであるから、本願発明１，２は原査定の理由によって拒絶することはできない。
　また、他に本願を拒絶すべき理由を発見しない。
　よって、結論のとおり審決する。